(57)【要約】  【課題】ケーキなどの生菓子を包装収納する保冷体収納ケース付き紙箱に於いて、ケーキなどを箱に収納した後で、収納物を損傷する恐れがなく、保冷体収納構造が包装後全く外観上分からず、また箱外面に結露しにくい紙箱の提供。  【解決手段】箱に中蓋を設け。中蓋に小蓋片を設け、小蓋の下に柔軟性シートからなる保冷体収納ケースを設け、保冷体収納後外蓋を小蓋を中蓋ごと覆うようにした１枚の紙からなる紙箱とする。  【選択図】  図６
0003129199.tif 000002
【実用新案登録請求の範囲】
【請求項１】
保冷体収納ケース付き紙箱に於いて、中蓋と外蓋を有し、中蓋には小蓋片を設け、該小蓋片を下から覆うように小蓋片を除く中蓋内面に柔軟性シートの全周縁又は部分周縁を接着し、中蓋を小蓋片ごと外蓋で覆うようになっている事を特徴とする１枚の紙からなる折り畳み紙箱。
【考案の詳細な説明】
【技術分野】
【０００１】
本発明は、保冷体収納ケース付きの折り畳み紙箱に関する。
【背景技術】
【０００２】
低温度下で持ち運びする必要のあるケーキなどの生菓子類を収納する紙箱にあっては、生菓子類の悪化を防ぐため、主としてアイスパック（水や保冷剤をプラスチックフィルムで密封包装したパック状のものを凍らせたもの）等の保冷体を生菓子と一緒に箱の中に入れる事が行われてきた。その中で、最近では保冷効果の効率化と、場所もとらないという理由で、箱の天面（箱内側の天井面）に保冷体収納ケースを設け、生菓子を上から冷やすという提案がある（例えば特許文献１、２参照）。しかしこれらは、ケーキなどの生菓子を箱に収納してからでは保冷体を収納ケースには大変入れにくい。また、今日のようにアイスパックが一般的に生菓子類の保冷に用いられなかった頃に、箱内側天面に紙の容器を接着し、直上天面に小蓋を設けて、箱の外からドライアイス塊片を流し込むという提案がなされた（特許文献３参照）。しかしこの提案では、天面小蓋をしっかり閉めておく事が出来ないばかりか、外観上も芳しくなく、体裁も大事にされる生菓子類の箱としては実用に供されることはなかった。又、これら特許文献１、２、３による提案で共通した問題として、最も箱として目に付く箱上面に、保冷体の存在により結露しやすく、ケーキなどの生菓子購入者に不快感を与える事があった。
【特許文献１】実用新案登録第３０８７１７３
【特許文献２】特開２００５−５３５３９
【特許文献３】実用公開  昭５９−１８１０６７
【考案の開示】
【考案が解決しようとする課題】
【０００３】
本考案が解決しようとする課題は、ケーキなどの生菓子類を箱に収納し、蓋を閉じた状態で簡単に保冷体を箱に入れる事が出来、かつ外観上も保冷体収納蓋も見えず、結露も外からは見えにくい保冷体収納ケース付きの折り畳み紙箱を提供することにある。
【課題を解決するための手段】
【０００４】
課題解決の手段としては、保冷体収納ケース付き紙箱に於いて、中蓋と外蓋を有し、中蓋には小蓋片を設け、該小蓋片を下から覆うように小蓋片を除く中蓋内面に柔軟性シートの全周縁又は部分周縁を接着し、中蓋を小蓋片ごと外蓋で覆うようになっている事を特徴とする１枚の紙からなる折り畳み紙箱とする。
【考案の効果】
【０００５】
課題解決手段による作用は次の通りである。即ち、切り込みにより、中蓋に折り筋から開閉出来る小蓋片を設け、該小蓋片を覆うように中蓋内面に柔軟性シートからなる保冷体収納ケースを設け、箱を起立させ、ケーキなどの生菓子類を収納した後、中蓋を閉じた状態で該小蓋片を開け、保冷体を該収納ケースにケーキ等を損傷することなく安全に入れる事が出来る。更に外蓋を閉じる事により、持ち運び最中に保冷体収納小蓋片が開いて保冷体が飛び出したり、該小蓋片の上に結露しても外蓋を閉じれば影響は殆どなく、外観上も該小蓋片が見えたりせず、保冷体収納作業が安全で簡単、しかも保冷体の存在を感じさせない綺麗な箱を提供出来る。
【考案を実施するための最良の形態】
【０００６】
以下に本考案による実施例をロールケーキ用折り畳み紙箱により詳述する。図１は本発明による紙箱の展開図で、箱内側面を上にしている状態である。中蓋５には、中央に保冷体収納ケース小蓋片５ａが折り筋３７を支点にして片開きするようになっている。指入れ５ｂは打ち抜いてあり、該小蓋開封時、指を掛ける穴となっている。
【０００７】
図２は図１に於ける保冷体収納ケース小蓋５ａを覆うように柔軟性シート周縁を該小蓋片５ａの外側周縁に接着し、保冷体収納ケース４０となった様子を示す。分かりやすくするため保冷体収納ケース４０を斜線でハッチングしてある。更に該収納ケース４０に隠れた保冷体収納ケース小蓋片５ａを点線で示した。
【０００８】
図２の状態から、外蓋側板１１、１２を折り筋２９、３０から内側に外蓋天板４の上に折り畳む。この時外蓋側板１１、１２の一部である１１ａ、１１ｂを折り筋３３、３４から反対面に折り返す。外蓋側板１０の糊代１０ａ、１０ｂを折り筋２９、３０で内側に折り畳み、外蓋側板１０を折り筋２５で内側に外蓋天板４の上に折り畳み、糊代１０ａ、１０ｂの外側と外蓋側板１１、１２の一部である１１ａ、１１ｂの内面を接着する。これにより外蓋が出来、外蓋天板４からなる外蓋が折り筋２５、３３、３４により折り畳まれる。
【０００９】
次に、側板２の両端に延設されている補助板８、９を折り筋２７、２８から内側に折り畳む。次に底板１に延設されている側板６ｂ、７ｂを折り筋２７、２８から底板１の上に折り畳み、該側板６ｂ、７ｂの一部である６ａ、７ａを折り筋３１、３２から反対側に折り返し、側板２を折り筋２２から底板１の上に補助板８、９と共に折り畳み、補助板８、９の外側面と側板の一部６ａ、７ａの内側面が合わさるので接着する。これで箱は組み立て前の折り畳まれた状態として完成する。この状態から、箱を少し立ち上げた状態の斜視図が図３であり、箱の立ち上げ途中図である。  
【００１０】
図４は、完全に箱を立ち上げた状態の斜視図である。この状態で、底板１の上に専用トレーに載せたロールケーキを乗せ、収納する。側壁６ａ、７ａに延設するサイドフラップ１３、１４を内側に折り曲げてから、前蓋兼側壁３を折り筋２１から立ち上げ、側壁６ａ、７ａに延設する上フラップ１６、１７を内側に折り曲げてその上から、保冷体収納ケース４０が付いた中蓋５を折り筋２３から折り曲げて被せ、中蓋５に延設する差し込みフラップ１５を折り筋２６から折り曲げて側壁２と上フラップ１６、１７端との間に差し込み、中蓋を完全に閉める。
【００１１】
この状態が中蓋までが閉じた状態の斜視図５である。保冷体収納ケース４０は小蓋片５ａの下にあり、この図では見えなくなっている。指入れ５ｂに指を入れて小蓋片５ａを折り筋３７を支線にして開いた状態が斜視図６である。図６には保冷体４１が示してあり、矢印に示す様に小蓋片５ａを開けて、保冷体収納ケースに箱に収納したケーキに損傷を与えることなく収納出来る。小蓋片５ａを閉めた後は、図５と同じ状態になる。
【００１２】
この状態から、中蓋の上に外蓋天板４からなる外蓋を被せた状態が、斜視図７である。外蓋側板１０の中央先端を側板３にある切り込み３８に差し込んで終了である。この状態では全く保冷体が収納されている事は分からず、また外蓋天板４にも結露してくる事はない。しかも、保冷体は箱組み立て後、さらにケーキなどを収納し、中蓋を完全にしめてからで収納出来、外観も良く、持ち運び時に保冷体が飛び出す心配もない。図８は、図７に於けるＸ−Ｘ面位置での断面図を示す。尚、本考案は、本実施例だけに限らず、様々な形態の紙箱に応用可能である事は明らかである。
【図面の簡単な説明】
【００１３】
【図１】紙箱の展開図
【図２】保冷体収納ケースとなる柔軟シートを貼り付けた展開図
【図３】必要箇所の接合後、組み立て途中斜視図
【図４】組み立て、立ち上がった斜視図
【図５】ケーキ収納後、中蓋を閉めた斜視図
【図６】中蓋の小蓋を開けた状態、保冷体を収納直前の斜視図
【図７】小蓋を閉め、外蓋を閉めた状態の斜視図
【図８】図７のＸ−Ｘ面断面図
【符号の説明】
【００１４】
１              底板
２              側板
３              側壁（兼、前蓋）
４              外蓋天板
５              中蓋
５ａ            小蓋片
６ａ、６ｂ      側板
７ａ、７ｂ      側板
８、９          補助板
１０〜１２      外蓋側板
１３、１４      サイドフラップ
１５            差し込みフラップ
１６、１７      上フラップ
２１〜３６      折り筋  
３８            切り込み
４０            柔軟性シート（保冷体収納ケース）
４１            保冷体
【図１】
0003129199.tif 000003
【図２】
0003129199.tif 000004
【図３】
0003129199.tif 000005
【図４】
0003129199.tif 000006
【図５】
0003129199.tif 000007
【図６】
0003129199.tif 000008
【図７】
0003129199.tif 000009
【図８】
0003129199.tif 000010